(57)【要約】      （修正有）【課題】分解・組み立てが可能であり、用途に応じて椅子フレームとなることを可能とした梯子フレーム。【解決手段】梯子フレームは、第一支柱部１３を具えた第一梯子部１０、第二支柱部２３を具えた第二梯子部２０、ピボットの接合部３０より構成され、該ピボットの接合部３０が第一梯子部１０と第二梯子部２０の間に設置されることにより、第二梯子部２０は第一梯子部１０の第一位置Ｐ１と第二位置Ｐ２の間において回転することが可能となり、第二梯子部２０は第一位置Ｐ１まで回転し、第一支柱部１３と第二支柱部２３が相互に支え合うことにより、第一梯子部１０と第二梯子部２０は共通して第一の作業状態である梯子フレームとなり、また、第二梯子部２０が第二位置Ｐ２まで回転し、第一支柱部１３と第二支柱部２３が相互に支え合うことにより、第一梯子部１０と第二梯子部２０は共通して第二の作業状態である椅子フレームになることを可能とする。【選択図】図２
0003123172.tif 000002
【実用新案登録請求の範囲】
【請求項１】
第一支柱部を具えた第一梯子部、第二支柱部を具えた第二梯子部、第一梯子部と第二梯子部の間に少なくとも一つ設けられたピボットの接合部より構成され、
前記ピボットの接合部は第二梯子部を第一梯子部と相対させ、少なくとも第一位置と第二位置の間を回転させることにより、第二梯子部は第一位置まで回転し、さらに第一支柱部と第二支柱部は相互に支え合うことにより、第一梯子部と第二梯子部は共通して第一の作業状態となり、また第二梯子部が第二位置まで回転し、第一支柱部と第二支柱部が共通して支え合うことにより、第一梯子部と第二梯子部は共通して第二の作業状態となることを特徴とする分解と組み立てが可能な梯子フレーム。
【請求項２】
前記第一の作業状態は梯子フレームであり、第二の作業状態は椅子フレームであることを特徴とする請求項１記載の分解と組み立てが可能な梯子フレーム。
【請求項３】
前記第一梯子部には、少なくとも一つの第一対称部品と少なくとも一つの第一支柱部品、多数の第一フレーム、少なくとも一つの第一構造強化部品、が設けられてなり、
前記第一対称部品は全て第一対称面を具えてなり、
前記第一支柱部品は、第一梯子部の一端の上部に設けられ、さらに第一対称部のもう一方の端部の上部に連結してなり、
前記第一フレームは、予め定められた間隔により二つの第一対称部品の間において連結されてなり、
前記第一構造強化部品は、全て第一支柱部品と第一支柱部の間に設けられてなり、
また、前記第二梯子部には少なくとも一つの第二対称部品、少なくとも一つの第二支柱部品、多数の第二フレーム、少なくとも一つの第二構造強化部品が設けられてなり、
前記第二対称部品は全て第二対称面を具えてなり、
前記第二支柱部品は第二梯子部の端部の上部に設けられてなり、第一対称部品のもう一方の端部の上部に連結してなり、
前記多数の第二フレームは、予め定められた間隔により二つの第二対称部品の間において連結してなり、
前記第二構造強化部品は全て同時に第二支柱部品と第二支柱部と連結してなることにより、第二梯子部を第一の作業状態の支柱構造とすることを特徴とする請求項１記載の分解と組み立てが可能な梯子フレーム。
【請求項４】
前記第一梯子部、第二梯子部は共に第一の作業状態となり、
該第二梯子部はまた少なくとも一つのプラグを含めてなり
該プラグは全て第二支柱部品の末端の底部において設けられてなり、手すり部の装着に用いられ、さらに第二梯子部の頂上部に安全な手すりを提供してなることを特徴とする請求項３記載の分解と組み立てが可能な梯子フレーム。
【請求項５】
前記第一梯子部、第二梯子部は共に第二の作業状態となる時、第一支柱部品、第二支柱部品と第二構造強化部品は共に第一梯子部と第二梯子部の地面における支えとして提供されてなり、且つ第一構造強化部品は第一支柱部品と第一支柱部に間の構造の強度を強めてなり、
該第一対称部品の第一対称面と第二対称部品の第二対称面は接近してなり、第一支柱部と第二支柱部は共に支えを提供してなることを特徴とする請求項２記載の分解と組み立てが可能な梯子フレーム。
【請求項６】
前記第二構造強化部品はまた、背あてパッド部を含めてなり、第二構造強化部品の外側を覆って設置してなり、使用者が座った時の背あてとして用いられるを特徴とする請求項５記載の分解と組み立てが可能な梯子フレーム。
【請求項７】
前記第一支柱部品と第二支柱部品の下部にはそれぞれに第一滑り止めパッドと第二滑り止めパッドが少なくとも一つ加えられて設けられてなり、且つ第二滑り止めパッドはプラグに貫通してなることを特徴とする請求項５記載の分解と組み立てが可能な梯子フレーム。
【請求項８】
前記第一構造強化部品は第一フレームの方向と背中合わせであり、水平にステップ部品を設けてなることを特徴とする請求項５記載の分解と組み立てが可能な梯子フレーム。
【請求項９】
前記の手すりは一対であり、それぞれの手すりは全て第一椅子部と第二椅子部の両側の外側面に連結してなることを特徴とする請求項５記載の分解と組み立てが可能な梯子フレーム。
【請求項１０】
前記第一支柱部、第二支柱部は合併して一つのベースプレートとなり、
該ベースプレートは第一椅子部にピン接合されてなり、並びに一つの留め金を第二椅子部の第二挿し込み孔に挿入し固定することを特徴とする請求項５記載の分解と組み立てが可能な梯子フレーム。
【請求項１１】
前記第一支柱部、第二支柱部は合併して一つのベースプレートとなり、
該ベースプレートは第二椅子部にピン接合されてなり、並びに一つの留め金を第一椅子部の第一挿し込み孔に挿入し固定することを特徴とする請求項５記載の分解と組み立てが可能な梯子フレーム。
【請求項１２】
前記第一椅子部、第二椅子部はそれぞれの部品を分解し、平らにして一つの収納袋に入れることが出来ることを特徴とする請求項３記載の分解と組み立てが可能な梯子フレーム。
【考案の詳細な説明】
【技術分野】
【０００１】
本考案は一種の分解と組み立てが可能な梯子フレームに係るものであり、特に一種の分解、並びに簡単な動作によって梯子フレームが椅子フレームに変わることが可能な分解と組み立てが可能な梯子フレームに関する。
【背景技術】
【０００２】
公知の梯子フレームの体積はとても長く、且つただ上に登って物を置いたり、修理をしたりするために用いられるのみであり、使用しない時には、片付けるための長い空間を探す必要があり、とても不便である。また、運搬する過程においては、貨車でなければ載せることができなく、小型車では載せることが無理であり、もし車のトランクを開けて、車外にはみ出して載せた場合には気を付けないと、容易に後方の車両と衝突を引き起こしてしまい、とても危険である。また、同様に支えを提供していながら、梯子フレームは椅子フレームになることが難しく、そのため座る機能が不足している。
【特許文献１】実開平６−１０６００号公報
【考案の開示】
【考案が解決しようとする課題】
【０００３】
公知の構造には以下の欠点があった。
すなわち、公知の梯子フレームの体積はとても長く、ただ上に登って物を置いたり、修理をしたりするために用いられるだけであり、且つ使用しない時には、片付けるための長い空間が必要であり、とても不便である。
さらに、運搬する過程においては、貨車でなければ載せることができなく、小型車では載せること無理であり、もし車のトランクを開けて、車外にはみ出して載せた場合には気を付けないと、容易に後方の車両と衝突を引き起こしてしまい、とても危険である。また、同様に支えを提供していながら、梯子フレームは椅子フレームになることが難しく、そのため座る機能が具わっていないため、機能が不足している。
本考案は上記の問題点を解決した分解と組み立てが可能な梯子フレームを提供するものである。
【課題を解決するための手段】
【０００４】
上記課題を解決するために、本考案は、下記の特徴を有する分解と組み立てが可能な梯子フレームを提供する。
１．請求項１に記載の分解と組み立てが可能な梯子フレームは、第一支柱部を具えた第一梯子部、第二支柱部を具えた第二梯子部、第一梯子部と第二梯子部の間に少なくとも一つ設けられたピボットの接合部より構成され、前記ピボットの接合部は第二梯子部を第一梯子部と相対させ、少なくとも第一位置と第二位置の間を回転させることにより、第二梯子部は第一位置まで回転し、さらに第一支柱部と第二支柱部は相互に支え合うことにより、第一梯子部と第二梯子部は共通して第一の作業状態となり、また第二梯子部が第二位置まで回転し、第一支柱部と第二支柱部が共通して支え合うことにより、第一梯子部と第二梯子部は共通して第二の作業状態となることを特徴とする。
２．請求項２に記載の分解と組み立てが可能な梯子フレームは、請求項１の場合において、
前記第一の作業状態は梯子フレームであり、第二の作業状態は椅子フレームであることを特徴とする。
３．請求項３に記載の分解と組み立てが可能な梯子フレームは、請求項１の場合において、
前記第一梯子部には、少なくとも一つの第一対称部品と少なくとも一つの第一支柱部品、多数の第一フレーム、少なくとも一つの第一構造強化部品、が設けられてなり、前記第一対称部品は全て第一対称面を具えてなり、前記第一支柱部品は、第一梯子部の一端の上部に設けられ、さらに第一対称部のもう一方の端部の上部に連結してなり、前記第一フレームは、予め定められた間隔により二つの第一対称部品の間において連結されてなり、前記第一構造強化部品は、全て第一支柱部品と第一支柱部の間に設けられてなり、また、前記第二梯子部には少なくとも一つの第二対称部品、少なくとも一つの第二支柱部品、多数の第二フレーム、少なくとも一つの第二構造強化部品が設けられてなり、前記第二対称部品は全て第二対称面を具えてなり、前記第二支柱部品は第二梯子部の端部の上部に設けられてなり、第一対称部品のもう一方の端部の上部に連結してなり、前記多数の第二フレームは、予め定められた間隔により二つの第二対称部品の間において連結してなり、前記第二構造強化部品は全て同時に第二支柱部品と第二支柱部と連結してなることにより、第二梯子部を第一の作業状態の支柱構造とすることを特徴とする。
４．請求項４に記載の分解と組み立てが可能な梯子フレームは、請求項３の場合において、
前記第一梯子部、第二梯子部は共に第一の作業状態となり、該第二梯子部はまた少なくとも一つのプラグを含めてなり、該プラグは全て第二支柱部品の末端の底部において設けられてなり、手すり部の装着に用いられ、さらに第二梯子部の頂上部に安全な手すりを提供してなることを特徴とする。
５．請求項５に記載の分解と組み立てが可能な梯子フレームは、請求項２の場合において、
前記第一梯子部、第二梯子部は共に第二の作業状態となる時、第一支柱部品、第二支柱部品と第二構造強化部品は共に第一梯子部と第二梯子部の地面における支えとして提供されてなり、且つ第一構造強化部品は第一支柱部品と第一支柱部に間の構造の強度を強めてなり、該第一対称部品の第一対称面と第二対称部品の第二対称面は接近してなり、第一支柱部と第二支柱部は共に支えを提供してなることを特徴とする。
６．請求項６に記載の分解と組み立てが可能な梯子フレームは、請求項５の場合において、
前記第二構造強化部品はまた、背あてパッド部を含めてなり、第二構造強化部品の外側を覆って設置してなり、使用者が座った時の背あてとして用いられるを特徴とする。
７．請求項７に記載の分解と組み立てが可能な梯子フレームは、請求項５の場合において、
前記第一支柱部品と第二支柱部品の下部にはそれぞれに第一滑り止めパッドと第二滑り止めパッドが少なくとも一つ加えられて設けられてなり、且つ第二滑り止めパッドはプラグに貫通してなることを特徴とする。
８．請求項８に記載の分解と組み立てが可能な梯子フレームは、請求項５の場合において、
前記第一構造強化部品は第一フレームの方向と背中合わせであり、水平にステップ部品を設けてなることを特徴とする。
９．請求項９に記載の分解と組み立てが可能な梯子フレームは、請求項５の場合において、
前記の手すりは一対であり、それぞれの手すりは全て第一椅子部と第二椅子部の両側の外側面に連結してなることを特徴とする。
１０．請求項１０に記載の分解と組み立てが可能な梯子フレームは、請求項５の場合において、前記第一支柱部、第二支柱部は合併して一つのベースプレートとなり、該ベースプレートは第一椅子部にピン接合されてなり、並びに一つの留め金を第二椅子部の第二挿し込み孔に挿入し固定することを特徴とする。
１１．請求項１１に記載の分解と組み立てが可能な梯子フレームは、請求項５の場合において、前記第一支柱部、第二支柱部は合併して一つのベースプレートとなり、該ベースプレートは第二椅子部にピン接合されてなり、並びに一つの留め金を第一椅子部の第一挿し込み孔に挿入し固定することを特徴とする。
１２．請求項１２に記載の分解と組み立てが可能な梯子フレームは、請求項３の場合において、前記第一椅子部、第二椅子部はそれぞれの部品を分解し、平らにして一つの収納袋に入れることが出来ることを特徴とする。
【考案の効果】
【０００５】
上記のように、本考案によれば、第一支柱部を具えた第一梯子部、第二支柱部を具えた第二梯子部、第一梯子部と第二梯子部の間に少なくとも一つ設けられたピボットの接合部を含めてなる本考案は、前記ピボットの接合部は第二梯子部を第一梯子部と相対させ、第一位置と第二位置の間を回転させてなることにより、第二梯子部は第一位置まで回転し、さらに第一支柱部と第二支柱部は相互に支え合うことにより、第一梯子部と第二梯子部は共通して第一の作業状態である梯子フレームとなり、さらに第二梯子部が第二位置まで回転し、第一支柱部と第二支柱部が共通して支え合うことにより、第一梯子部と第二梯子部は共通して第二の作業状態である椅子フレームとなることが可能となる。
また、第二梯子部は少なくとも一つのプラグを含めてなり、該プラグは全て第二支柱部品の末端の底部において設けられ、手すり部の装着に用いられることにより、第二梯子部の頂上部に安全な手すりを提供することが出来る。
さらに、第二の作業状態となる時、第一支柱部品、第二支柱部品と第二構造強化部品は共に第一梯子部と第二梯子部の地面における支えとして提供され、且つ第一構造強化部品は第一支柱部品と第一支柱部に間の構造の強度を強めることが可能であり、該第一対称部品の第一対称面と第二対称部品の第二対称面は接近してなり、第一支柱部と第二支柱部は共に支えを提供することが出来る。
加えて、背あてパッド部を含めてなる第二構造強化部品は、第二構造強化部品の外側を覆って設置してなり、使用者が座った時の背あてとして使用させることが可能である。
さらに、本考案は多数の骨組みがピボット接合によって固定されるため、出荷時或いは長時間の不使用時には、分解し、並びに収納袋の中に収納することが可能であり、必要とする収納スペースを最小限とし、運搬に於いても便利となり、小型車のトランク、更には後部座席においても直接置くことが可能となる。
【考案を実施するための最良の形態】
【０００６】
図１及び図２に示すように、本考案の分解、組み立てが可能な梯子フレームは、第一梯子部１０、第二梯子部２０、少なくとも一つのピボットの接合部３０を含めてなり、前記第一梯子部１０は第一支柱部１３を具えてなり、前記第二梯子部２０は第二支柱部２３を具えてなり、前記ピボットの接合部３０は、第一梯子部１０と第二梯子部２０の間に少なくとも一つ設けられてなり、これによって第二梯子部２０は相対して、少なくとも第一梯子部１０の第一位置Ｐ１と第二位置Ｐ２の間を回転することが可能となる（図３参照）。そのため、第二梯子部２０は第一位置Ｐ１まで回転することにより、第一支柱部１３と第二支柱部２３は相互に支え合い、且つ第一梯子部１０と第二梯子部２０は共に第一の作業の状態となる。前記第二梯子部が第二位置Ｐ２まで回転することにより、第一支柱部１３と第二支柱部２３は同一の支柱面となり、これにより第一梯子部１０と第二梯子部２０は共に第二の作業の状態となる。実際的には、前記第一の作業の状態とは、梯子フレームであり、第二の作業状態とは椅子フレームのことである。また、前記第一梯子部１０には、それぞれ少なくとも一つの第一対称部品１１、第一支柱部品１２、複数の第一フレーム部品１４、少なくとも一つの第一構造強化部品１５を設けてなり、前記第一対称部品１１には、それぞれ全てに第一対称面１１１が具えられてなり、前記第一支柱部品１２は、第一梯子部１０の一つの端部の上に設けられてなり、前記第一支柱部１３は、第一対称部品１１のもう一つの端部の上に連結されてなり、前記第一フレーム部品１４は、二つの第一対称部品１１の間に予め決められた間隔によって連結してなり、該二つの第一対称部品１１とは、一つがステップを提供し、もう一つが第一梯子部１０の水平方向の構造の強度を強化するものであり、前記第一構造強化部品１５は全て、第一支柱部品１２と第一支柱部１３の間に設けられてなり、これにより第一梯子部１０の垂直方向の構造の強度を強化することが可能である。さらに、第二梯子部２０には、それぞれ少なくとも一つの第二対称部品２１、第二支柱部品２５、第二支柱部２３、複数の第二フレーム部品２４、少なくとも一つの第二構造強化部品２２を設けてなり、前記第二対称部品２１にはそれぞれ全てに第二対称面を具えてなり、前記第二支柱部品２５は第二梯子部２０の端部の上に設けられてなり、前記第二支柱部２３は第一対称部品１１のもう一方の端部の上に連結されてなり、前記第二フレーム部品は、二つの第二対称部品２１の間に予め決められた間隔によって連結してなり、該二つの第二対称部品２１とは、一つがステップを提供し、もう一つが第二梯子部２０の水平方向の構造の強度を強化するものであり、前記第二構造強化部品２２は全て同時に第二支柱部品２５と第二支柱部に連結してなることにより、第二梯子部２０の垂直の方向の支えの構造となる。
【０００７】
図１、図２、図３に示すように、本考案の第一実施例では、第二梯子部２０は第一位置にあり、第一支柱部１３と第二支柱部２３は対面した状態で相互に支え合うことにより、第一梯子部１０と第二梯子部２０はと共に第一の作業の状態、つまり梯子フレームとなり、第一フレーム部品と第二フレーム部品２４は同時に階段のステップとして提供される。このような実施例の中で、第二梯子部２０は少なくとも一つのプラグ２６を含めてなり、それぞれのプラグ２６は全て第二支柱部品の２５の末端の底部に設けられてなる。これにより、第二梯子部２０の頂上部に安全な手すりを提供するのに用いられる手すり４０の差込の設置を提供してなる。
【０００８】
図３、図４に示すように、本考案の第二実施例では、第二梯子部２０はピボットの接合部３０を軸として第二位置Ｐ２まで回転してなり、さらに第二支柱部品２５と第一支柱部品１２と共に第一梯子部１０と第二梯子部２０の地面に於いての支えとなることを提供する。また、第一対称部品１１の第一対称面１１１と第二対称部品２１の第二対称面２１１は対称的に隣り合い、第一支柱部１３と第二支柱部２３は共に支える（座るとも言える）ことを提供することにより、第一梯子部１０と第二梯子部２０は共に第二の作業の状態である椅子フレームとなる。このような実施例の下で、第二構造強化部品２２はさらに、一つの背部パッド２２１を含めてなり、該背部パッド２２１は第二構造強化部品２２の外面に覆われて設置されてなり、それにより使用者が座った時に快適な拠りかかり部を提供する。その外に、第一支柱部品１２と第二支柱部品２５の下部にはそれぞれに分けて、少なくとも一つの第一滑り止めパッド１６と第二滑り止めパッド２７を加えて設けることが出来、且つ第二滑り止めパッド２７はプラグ２６に繋がっている。また、第一構造強化部品１５は第一フレーム部品１４の方向と背中合わせであり、大体が水平（少なくとも上向き）であるステップ部品５０を設けてなり、高い椅子フレーム（例えば、バーチェアー）を実施する場合の、椅子フレームに登る時の補助ステップとしての役割を提供する。
【０００９】
図５に示すように、第二の作業の状態である椅子フレームとしての実施例では、さらに一対の手すり２８を設けることが出来、それぞれの手すり２８は全て第一椅子部１０或いは第二椅子部２０の両方の外側面に連結してなり、本考案の実施例の中では、第二構造強化部品２２と第二支柱部２３の両方の外側面において連結してなる。
【００１０】
図６に示すように、第二の作業の状態の椅子フレームの実施例の下では、第一支柱部１３と第二支柱部２３は合併して一つのベースプレート８０となり、該ベースプレート８０は第一椅子部１０においてピボット接合して設けてなり、並びに一つの留め金８１を設けてなり、該留め金８１は第二椅子部２０の第二挿入孔２９に挿入されて固定される。
【００１１】
図７に示すように、第二の作業の状態の椅子フレームの実施例の下では、第一支柱部１３と第二支柱部２３合併して一つのベースプレート８０となることができ、該ベースプレート８０は第二椅子部２０に於いてピボット接合して設けてなり、並びに一つの留め金８１を第一椅子部１０の第一挿入孔１７に於いて挿入して固定されてなる。
【００１２】
図８に示すように、本考案の第三の実施例であり、本考案は多数の骨組みがピボット接合によって固定されるため、出荷時或いは長時間の不使用時には、分解し、並びに収納袋９０の中に収納することが可能であり、必要とする収納スペースを最小限とし、運搬に於いても便利となり、小型車のトランク、更には後部座席においても直接置くことが可能となる。
【００１３】
本考案では、好適な実施例を前述の通り開示したが、これらは決して本考案に限定するものではなく、当該技術を熟知する者ならだれでも、本考案の精神と領域を脱しない範囲内で各種の変動や潤色を加えることが出来、従って本考案の保護範囲は実用新案請求の範囲内で指定した内容を基準とする。
【図面の簡単な説明】
【００１４】
【図１】本考案の斜視分解説明図である。
【図２】本考案の実施例の斜視説明図（一）である。
【図３】本考案の平面における動作の側面説明図である。
【図４】本考案の実施例の斜視説明図（二）である。
【図５】本考案の部分構造の他の実施例の平面図（一）である。
【図６】本考案の部分構造の他の実施例の平面図（二）である。
【図７】本考案の部分構造の他の実施例の平面図（一）である。
【図８】本考案の実施例の斜視説明図（三）である。
【符号の説明】
【００１５】
１０    第一梯子部
１１    第一対称部分
１１１  第一対称面
１２    第一支柱部品
１３    第一支柱部
１４    第一フレーム部品
１５    第一構造強化部品
１６    第一滑り止めパッド
１７    第一挿入穴
２０    第二梯子部
２１    第二対称部分
２１１  第二対称面
２２    第二構造強化部品
２２１  背部パッド
２３    第二支柱部
２４    第二フレーム部品
２５    第二支柱部品
２６    プラグ
２７    第二滑り止めパッド
２８    手すり
２９    第二挿入孔
３０    ピボットの接合部
４０    背あて部
５０    ステップ部
８０    ベースプレート
８１    留め金
９０    収納袋
Ｐ１    第一位置
Ｐ２    第二位置
【図１】
0003123172.tif 000003
【図２】
0003123172.tif 000004
【図３】
0003123172.tif 000005
【図４】
0003123172.tif 000006
【図５】
0003123172.tif 000007
【図６】
0003123172.tif 000008
【図７】
0003123172.tif 000009
【図８】
0003123172.tif 000010